(57)【要約】【課題】植物の栽培容器で、栽培容器内に補給容器を収容し、室内の卓上、壁面、柱への装飾的設置や、梁や天井への吊着や室外の壁面やベランダでの設置に対応する、軽くてコンパクトで、水やりが簡単で、主なるものと従なるものとの利用価値が同等の構成を得る。【解決手段】パネル状で薄型の立設的で略箱型形状を有し、栽培容器１の内部は栽培床２を収容する栽培床収容部３と、補給容器４を収容する補給容器収容部５と、補給水９を貯水する補水槽４が一体的に形成され、更に、該栽培床収容部３と補給容器収容部５は間仕切り板８で仕切られ、該間仕切り板８の下部には補水槽内の補給容器設置部７より栽培床収容部３の下部への補給水の通水口１０を設け、該栽培床収容部３の上部には植設部１１と下部には灌水用の吸水部１２を設け、該補給容器設置部７に前記補給容器４を設置し、該栽培容器１の外周に模様や装飾部材を用いての装飾や、写真や装飾部材を収容部に収容し装飾的設置が出来る。【選択図】　図　１【特許請求の範囲】
【請求項１】
栽培容器（１）は、パネル状で薄型の立設的で略箱型形状を有し、該栽培容器の内部は植物を栽培する栽培床（２）を収容する栽培床収容部（３）と、補給容器（４）を収容する補給容器収容部（５）と、補給水（９）を貯水する補水槽（６）が一体的に形成され、更に、該栽培床収容部（３）と該補給容器収容部（５）は間仕切り板（８）で仕切られ、該間仕切り板（８）の下部には補水槽内の補給容器を設置する補給容器設置部（７）より栽培床収容部（３）の下部への補給水の通水を行う通水口（１０）を設け、該栽培床収容部（３）の上部には植設部（１１）と下部には灌水用の吸水部（１２）を設け、また更に、該補水槽内の該補給容器設置部（７）には前記補給容器（４）を設置若しくは該補給容器設置部（７）に装着部（１３）を設けて前記補給容器（４）を装着し、毛細管現象を利用した植物への灌水や、そして、該栽培容器（１）の外周に模様（１４）や絵の装飾や、装飾部材（鏡や時計やカレンダーも含む）を用いた装飾や、更に、メッセージや写真（２１）や装飾部材を収容する収容部（１７）を設けることが出来ることを特徴とする外装パネル植物栽培容器。
【請求項２】
栽培容器（１’）は、パネル状で薄型の立設的で略箱型形状を有し、該栽培容器（１’）は栽培床ケース（１８）と、補給水（９）を貯水する補水槽（１９）と補給容器（４）から構成され、該栽培床ケース（１８）の一方には植物（２０）を栽培する栽培床（２）を収容する栽培床収容部（３’）を設け、他方には補給容器（４）を収容する補給容器収容部（５’）を設け、更に、該栽培床収容部（３’）と該補給容器収容部（５’）は間仕切り板（８’）で仕切られ、該間仕切り板（８’）の下部には前記補水槽内の補給容器設置部（７’）より栽培床収容部（３’）の下部への補給水の通水を行う通水口（１０’）を設け、該栽培床収容部（３’）の上部には植設部（１１）と下部には灌水用の吸水部（１２’）を設けた該栽培床ケース（１８）を前記補水槽内（１９）に設置し、また更に、該補水槽内の該補給容器設置部（７’）に前記補給容器（４）を設置若しくは該補給容器設置部（７’）に装着部（１３’）を設けて該補給容器（４）を装着し、毛細管現象を利用した植物（２０）への灌水や、そして、該栽培容器（１’）の外周に模様（１４）や絵の装飾や、装飾部材（鏡や時計やカレンダーも含む）を用いた装飾や、更に、メッセージや写真（２１）や装飾部材を収容する収容部（１７）を設けることが出来ることを特徴とする外装パネル植物栽培容器。
【請求項３】
請求項１乃至２に記載の外装パネル植物栽培容器において、上記補給容器設置部（７．７’）に設置する補給容器（３３）は、該補給容器（３３）の底部の側壁に大気開放と補給水の流出を交互に行う内外を連通する開口部（３４）を形成し、該補給容器内の補給水の水位の確認を行う水位確認部（３５）を設けたことを特徴とする外装パネル植物栽培容器。
【請求項４】
請求項１乃至３に記載の外装パネル植物栽培容器においては、前記栽培床（２）は保湿材（保湿剤も含む）（３６）若しくは保湿材（保湿剤も含む）（３６）と栽培床内の空気維持を目的とした空気維持材（３７）を用いたことを特徴とする外装パネル植物栽培容器。
【請求項５】
請求項１乃至４に記載の外装パネル植物栽培容器において、前記外装パネル植物栽培容器の内部若しくは外部に芳香、消臭材収容容器（４０）を設けたことを特徴とする外装パネル植物栽培容器。
【請求項６】
請求項１乃至３及び請求項５に記載の外装パネル植物栽培容器において、請求項１に記載の外装パネル植物栽培容器の補給容器設置部（７）に設置する補給容器（４）を設けず、栽培床収容部（３）と補給容器収容部（５）と補水槽（６）と間仕切り板（８）を一体的に形成した躯体と、請求項２に記載の外装パネル植物栽培容器の栽培床ケース（１８）及び補水槽（１９）と、請求項３に記載の外装パネル植物栽培容器の補給容器（３３）と、請求項５に記載の外装パネル植物栽培容器の芳香、消臭材収容容器（４０）を、それぞれ個別部品としたことを特徴とする外装パネル植物栽培容器の部品。
【発明の詳細な説明】
【０００１】
【発明の属する技術分野】
本発明は、補水槽を設けた毛細管現象を利用した植物の栽培を行う栽培容器において、該栽培容器は、パネル状で薄型の立設的で略箱型形状を有し、植物の植設を行う栽培床を収容する栽培床収容部若しくは栽培床ケースと補水槽や補給容器の構成で、植物の栽培と栽培容器の装飾が行える外装パネル植物栽培容器及び外装パネル植物栽培容器の部品に関する。
【０００２】
【従来の技術】
水平に施された横列植木鉢水受皿カバー状給水装置本体に、垂直にして給水口を下にした給水タンクを設置し、給水タンクより流れ出る水を溜める為のの給水溜皿と連結して給水路を設け、給水路に植木鉢を置いて植木に水を給水する為の植木鉢水受皿と連結させたタンク式植木鉢給水装置（実平０４−０４９７２３）がある。
【０００３】
また、植木鉢の底穴に密着して設置される保水性を有する保水性パットと保水性パットに接合して接続される吸水性を有する吸水芯と植木鉢と保水パットを保持しかつ水溜め機能を有する貯水皿とで構成された植木鉢給水調節器（実平０８−９８１８）がある。
【０００４】
更に、容器内の水を外部に流出させる導水管が、容器のキャップに取り付けられ、キャップには、給水ガイド部材が着脱自在に取り付けられる。流出水量調節部材が導水管に取り付けられられた植木鉢用自動給水器（実登録３０３２５５２号）がある。
【０００５】
そして、側壁と鉢底を有する植木鉢において、該植木鉢の鉢底の内面から或る高さ位置に植木鉢内部からの流入口を有する排水孔を、該鉢底又は該側壁に設け、該植木鉢内部の該排水孔の該流入口より低い位置の部分を、灌水時に自然に水が溜まる貯水部とした植木鉢（実開平５−６７２４３号）や、植物生育用装置は植木鉢及び植木鉢用の受け皿からなり、植木鉢の底板には底部開孔が形成され、植木鉢の周壁には底板から約１／４の高さ位置に一列等間隔の複数の側部開孔が形成される。この装置は、植物生育時に、植木鉢の側部開孔形成位置よりも低い位置まで受け皿に貯水された状態で使用される植物生育用装置（実開平５−２９３５５号）がある。
【０００６】
更に、鉢受け等の貯水体と、この貯水体の液面に非接触状態におかれる鉢と、一端側が鉢の底面側から鉢土内に設けられ他端側が上記貯水体内に設けられる柔軟性を有する給水紐とが備えられ、給水紐の上記一端側には保形性を有する補強材が設けられている鉢の給水構造（実開平３−１１７４４９号）がある。
【０００７】
更に、栽培容器の外側に培養液及び空気の供給口を設け、この栽培容器の内部の底部に、縦断面及び横断面とも適宜な形状の垂下部を持ち、この垂下部を含む全体に小孔または細溝をあけた中子を嵌合し、前記栽培器の培養液及び空気供給口の下端は、中子の底面よりは下方になるようにして、水位を一定に保つタンクを結合せしめた自動清浄栽培容器（実公昭４０−４１１７号）がある。
【０００８】
次に、貯水槽に吸気管と送水管を設け、貯水層の下部には蒸発皿や仕切り板を設けた補助給水皿と給水皿が連結管とで連結された構成とした園芸用自動給水器（特開昭６２−１７１６２５号）がある。
【０００９】
そして、瓶の開口部が水盤或いは貯水溝の所定の水位上に露出した際、瓶の開口部より瓶内に通気しえしめることによって、瓶内の水を水盤又は温室等に設けた貯水溝に自動的に注下補給し、その水位が瓶の開口部に達し、開口部の開口縁部が水没状態になった際に開口部よりの通気が絶たれ瓶内よりの水の補給は停止される構成とした瓶および自動給水ならびに加湿装置（特開昭５８−１８７１２２号）等が知られている。
【００１０】
また更に、栽培容器が戴置される貯水可能な栽培容器用補水槽において、この補水槽に水を補給する補給容器の下端部を保持する筒状の保持部を設け、この保持部の側壁には内外を連通する開口部を形成したことを特徴とする栽培容器用補水槽（特許第２９９５６５３号）が知られている。
【００１１】
従来技術においての保湿材を利用した植物栽培容器内の植物への灌水は、補水容器内の水分から保湿材を介した毛細管現象を利用した用土への灌水を行うか、平面上の保湿材に植物の種子を蒔くものであり、その他の毛細管現象を利用した灌水方法では、用土を利用したものであった。
【００１２】
そして、陶土を高熱で焼き上げた２枚のセラミックスの板で、植物の根を挟んで栽培する栽培容器があるが、このセラミックスの板は内部に細かな隙間をもっている。灌水方法は給水タンクからグラスファイバーの紐を伝いセラミックスの中にある隙間を毛細管現象で通って、植物に供給される。施肥に関しては、セラミックスの間に板状にした肥料を挟み込めば、浸透した水に溶けて吸収される構成である。
【００１３】
【発明が解決しようとする課題】
しかし、上述したような補水槽を有する毛細管現象を利用した植物の栽培を行う栽培容器においては、
【００１４】
水耕栽培に対する一般的概念は、水耕栽培用植物以外の植物では根腐れを起こすというものであり、この概念はプロの生産者クラスでも常識化されているものであったため、水耕栽培の普及発展を阻害していた。
【００１５】
そして、栽培容器用補水槽（特許第２９９５６５３号）においては、補水槽内に補給容器を装着する筒状の保持部を設け、この保持部の側壁には内外を連通する開口部を形成した栽培容器用補水槽と、この栽培容器用補水槽に栽培容器を一体的に有する栽培容器用補水槽であり、補給容器を装着する保持部は栽培容器の外部の補水槽内に位置していたことで、補給容器を隠すことが出来ず、更に形状をコンパクトにすることが出来なかった。
【００１６】
そして、陶土を高温で焼き上げた２枚のセラミックスの板で、植物の根を挟んで栽培する栽培方法ではこの２枚のセラミックスの板が保湿材となっているが、ある程度成長した植物で根の張りが太くなっている植物を挟むとセラミックス間に必要以上の空間が出来る問題点がある。これは、保湿材の材質と量と柔軟性がないために起こる問題点である。そして、多量の水分が必要な植物には充分な保湿量を得ることが出来ない問題点があった。
更に、このセラミックスの板を用いた植物栽培容器にあっては、灌水方法はタンクよりセラミックスの紐を通じてセラミックスの板に送水するが、紐状の保湿材による送水方法にあっては夏期の乾燥が激しい屋外では蒸発量と送水量のバランスがとれない欠点があり、そして、多量の水分を必要とする植物では送水量が不充分であった。更に施肥の方法ではセラミックスの間に板状にした肥料を施肥しなくてはならず不便であった。
【００１７】
また、保湿材を用いた栽培容器の毛細管現象にての灌水では、夏期や気温の高い時期にも灌水量が水分の蒸発量に対応出来なければならないが、保湿材には石油や化学物質や繊維製品や植物繊維や岩石等を応用して製造されたものがあるが、選定方法を誤ると毛細管現象による水分を上方の高い位置に送ることが出来ない。
【００１８】
また従来では、ペットボトルや飲料用容器を液体容器として利用するときは、液体の流出部に加工を加えて利用しているものではなく、その形状の儘使用していたので、筒状の保持部の側壁に開口部を形成した保持部を有する補水槽に用いなければならなかった。
【００１９】
そして、従来の室外や室内で使用する植物栽培容器においては、用土を用いた栽培方法が一般的であるが、特に室内においては設置場所は床や卓上に置く方法が一般的であり、灌水を行うには水受皿を設ける必要があり不便をきたし、更に、植物栽培容器が用土を用いる形状や構成のものでは、壁面や球面上や中空での栽培では重さや水やりにおいては設置上や使用上の不便さの問題点があった。
【００２０】
更に、椰子皮を材料とした形状に外部を針金で補強したバスケット状で用土を利用する製品や、この製品を応用した外部を椰子皮で内部に保湿材を用いて、これらを針金で形状を保った栽培容器があるが、これらは補水槽や補給容器を用いず人力で灌水しているが、室内の壁面や中空で利用しても、素材が剥き出しになっているため見栄えも悪く、灌水に不便をきたしていた。
【００２１】
また、従来技術では車内（自動車、トラック、バス、電車等）においては、植物を栽培したり鑑賞したりする製品は溢水や水やりの面で成しえなかった。
【００２２】
このように、補給容器と補水槽の構成に植木鉢を入れる方法と補給容器と補水槽と植木鉢の一体的構成として毛細管現象を利用した灌水にて植物の栽培を行うものであったが、これらは個々に独立したものを組み合わせたもので構成されているものであって、栽培容器内に補給容器、補水槽が内蔵された一体的構成のものでなかったので大きさや厚みが限定されることで見栄えが悪い問題があった。
【００２３】
本発明はこれらの課題の解決や、栽培容器内に補給容器を収容すると共に補給容器の水位が確認することが出来、更に、軽くてコンパクトで水やりが簡単で、植物鑑賞と共に栽培容器に模様や装飾部材の装飾や、メッセージや写真や装飾部材の収容や、芳香や消臭による、装飾や鑑賞や精神的癒しやストレスの解消や多様なプレゼントにも利用出来、多様な場所での装飾が行える事で、主なるもの（植物栽培）と従なるもの（装飾物として）との利用価値が略同等の効果が得られる植物栽培容器の提供を目的とする。
【００２４】
【課題を解決するための手段】
上記課題を解決するために、本発明の外装パネル植物栽培容器においては、
【００２５】
請求項１の外装パネル植物栽培容器では、栽培容器は、パネル状で薄型の立設的で略箱型形状を有し、該栽培容器の内部は植物を栽培する栽培床を収容する栽培床収容部と、補給容器を収容する補給容器収容部と、補給水を貯水する補水槽が一体的に形成され、更に、該栽培床収容部と補給容器収容部は間仕切り板で仕切られ、該間仕切り板の下部には補水槽内の補給容器を設置する補給容器設置部より栽培床収容部の下部への補給水の通水を行う通水口を設け、該栽培床収容部の上部には植設部と下部には灌水用の吸水部を設け、また更に、該補水槽内の該補給容器設置部には前記補給容器を設置若しくは該補給容器設置部に装着部を設けて前記補給容器を装着し、毛細管現象を利用した植物への灌水や、そして、該栽培容器の外周に模様や絵の装飾や、装飾部材（鏡や時計やカレンダーも含む）を用いた装飾や、更に、メッセージや写真や装飾部材を収容する収容部を設けることが出来る構成とした。
【００２６】
上記栽培床には、保湿材（保湿剤）若しくは保湿材（保湿剤）と栽培床内の空気層を維持する空気層維持材を用いるが、植物の植え込みは栽培床収容部の上部の植設部に収容される栽培床内に行い、栽培容器の外部にはパネル（画板）の代用も出来るので、多様な模様や絵の装飾や、装飾部材（鏡や時計やカレンダーも含む）を用いた装飾や、シールや文字や凹凸形状等で装飾することが出来、更に収容部にはメッセージや写真や絵や装飾部材等を収容して装飾物として壁面や中空の装飾や置物として用いる作用を有する。
【００２７】
そして、栽培床に灌水する方法は、補水槽内の補給容器設置部に、補給水（水若しくは液体肥料や液体活力剤等を混入）を補給容器に入れて設置することで植物への灌水が自動的に行われるが、該栽培容器の内部に補給容器や補水槽が一体的に設けられることでコンパクトで見栄えも良くなり問題を解決する。
【００２８】
また、前記栽培容器は壁面や中空や柱や梁等に取り付ける場合は、それぞれの用途に適合した壁面支持部を設けることが出来、更に、置物として用いる場合は、転倒防止用の支持部を設けることでその目的を達成出来る。
【００２９】
更に、この外装パネル植物栽培容器や栽培床は、従来の栽培容器の形状や栽培用土の容量や重量と比較しても、栽培容器は軽くてコンパクトであり、栽培床の容量が少なく重量も軽いので、棚やテーブルや壁面や柱や中空や天井や梁等に負担をかけず容易に設置及び吊着すことが出来、室内やビルの壁面や店舗の装飾や多様な場所での利用と装飾効果を演出し得る作用を有す。
【００３０】
補給容器の安定設置については、前記外装パネル植物栽培容器の補給容器設置部に、補給用の補給容器の周囲を包囲した転倒防止側壁内に補給容器を設置若しくは補給容器を装着する保持部の側壁に切り欠き状の切り欠き部を設けた装着部、若しくは筒状の保持部の側壁に開口部を設けた装着部、これらの装着部に補給容器を装着することで安定的な転倒防止作用を得る。
【００３１】
そして、前記栽培容器は、装飾物としても利用出来ることで、園芸用品としての販売にとらわれることはなく、雑貨販売店や装飾物販売店や贈答品店や作り方教室等の幅広い業種に利用出来ることで産業の育成に寄与する。
【００３２】
更に、ユーザー自身でオリジナルな装飾も出来、満足感を得られる。
【００３３】
また、車内（乗用車、トラック、バス、電車等）に車内設置部を設ける事によって利用出来るが、水や液体が溢れないように補給容器設置部側の側壁を高くしたり、隙間を防水シールすることで解消される。
【００３４】
本明細書中に記載の「略箱型形状」とは、全ての面が閉ざされた状態を指すものでなく、その形状は多角形、円形、略半円形、立体形、球形状や模様形状で製造されるものであり、該形状に限定されるものでない。更に、前記栽培容器は組み立て形式をとってもよい。
【００３５】
請求項２に記載の外装パネル植物栽培容器では、栽培容器は、パネル状で薄型の立設的で略箱型形状を有し、該栽培容器は栽培床ケースと、補給水を貯水する補水槽と補給容器から構成され、該栽培床ケースの一方には植物を栽培する栽培床を収容する栽培床収容部を設け、他方には補給容器を収容する補給容器収容部を設け、更に、該栽培床収容部と該補給容器収容部は間仕切り板で仕切られ、該間仕切り板の下部には前記補水槽内の補給容器を設置する補給容器設置部より栽培床収容部の下部への補給水の通水を行う通水口を設け、該栽培床収容部の上部には植設部と下部には灌水用の吸水部を設けた該栽培床ケースを前記補水槽内に設置し、また更に、該補水槽内の該補給容器設置部に前記補給容器を設置若しくは該補給容器設置部に装着部を設けて該補給容器を装着し、毛細管現象を利用した植物への灌水や、そして、該栽培容器の外周に模様や絵の装飾や、装飾部材（鏡や時計やカレンダーも含む）を用いた装飾や、更に、メッセージや写真や装飾部材を収容する収容部を設けることが出来る構成とした。
【００３６】
前記栽培床には、保湿材（保湿剤）若しくは保湿材（保湿剤）と栽培床内の空気層を維持する空気層維持材を用いるが、植物の植え込みは栽培床収容部に収容される該栽培床内の上部の植設部に行ない、そして、栽培容器の外周には模様や絵の装飾や、装飾部材を用いた装飾や、シールや文字や形状等で装飾することが出来、更に前記収容部にはメッセージや写真や絵や装飾部材等を収容して装飾物として壁面や中空の装飾や置物として用いる作用を有する。
【００３７】
そして、栽培床に灌水する方法は、補水槽内の補給容器設置部に、補給水（水若しくは水に液体肥料や液体活力剤等を混入）を補給容器を入れて設置することで植物への灌水が自動的に行われるが、該栽培容器の内部に補給容器が一体的に設けられることでコンパクトで見栄えも良くなり問題を解決する。
【００３８】
また、該栽培容器は壁面や中空や柱や梁等に取付ける場合は、補水槽と栽培床ケースは容易に脱落しない着脱自在な着脱部を設け、それぞれの用途に適合した装飾用取付部を設けることが出来、更に、置物として用いる場合は、転倒防止用の支持部を設けることでその目的を達成出来る。
【００３９】
更に、この外装パネル植物栽培容器や栽培床は、従来の栽培容器の形状や栽培用土の容量や重量と比較しても、本栽培容器は軽くてコンパクトであり、栽培床の容量が少なく重量も軽いので、棚やテーブルや壁面や柱や中空や天井や梁等に負担をかけず容易に設置及び吊るすことが出来、室内やビルの壁面や店舗の装飾や多様な場所での利用と装飾効果を演出し得る作用を有す。
【００４０】
補給容器の安定設置については、前記外装パネル植物栽培容器の補給容器設置部に補給用の補給容器を設置する周囲は壁面で包囲する構成若しくは補給容器を装着する保持部の側壁に切り欠き状の切り欠き部を設けた装着部、若しくは筒状の保持部の側壁に開口部を設けた装着部、これらの装着部に補給容器を設けることで安定的な安定防止作用を得る。
【００４１】
そして、栽培床ケースと補水槽が分離されることによって、該補水槽内の掃除や栽培床ケース内への保湿材（保湿剤も含む）や空気維持材の収容や、栽培床に植物を植設後に栽培床ケース内への収容や取り出しも容易に行える作用有する。
【００４２】
また、本発明の外装パネル植物栽培容器でビルや家屋の壁面緑化を行うには、上記補水槽を長くした横長補水槽に、栽培床を収容した栽培床ケースと補給容器収容部を削除した栽培床ケースに栽培床を収容した栽培床ケースを必要数量を該横長補水槽に設置し、更に、補給容器の上部に密閉蓋を設け、下部に開口部を設けた補給容器を設置するが、該補給容器の上部には自動給水弁（浮き玉と給水器具で構成された給水機材）を設け、該自動給水弁に給水管を接続して使用すれば植物への自動灌水が簡単に出来る。尚、外装パネル植物栽培容器全体に対する外部からの熱射や寒冷に対する対応方法としては、栽培床ケース内及び補水槽内の内周を断熱材（例えば、発砲スチロール材等）で保護すればよい。このように簡単な構成で、ビルの装飾や温暖化防止に作用する。
【００４３】
また、本外装パネル植物栽培容器は、装飾物として利用出来ることで、園芸用品としての販売にとらわれることはなく、雑貨販売店や装飾材料販売店や贈答品店や作り方教室等の幅広い業種に利用出来ることで産業の育成に寄与する。
【００４４】
更に、ユーザー自身でオリジナルな装飾も出来ることで、満足感が得られ、また、プレゼントとして用いる場合は、心のこもったメッセージと受け取る人に自由なオリジナル装飾を提案することも出来る。
【００４５】
本明細書中に記載の「吸水部」とは、栽培床が収容された栽培床収容部及び栽培床ケースの下端で、補給容器から補水槽内への補給水の停止位置までであるが、該吸水部の形状は該栽培床収容部及び栽培床ケース下端全てが開口若しくは網目状の吸水部若しくは溝状の吸水部等を設けてもよく、形状は限定されるものでないが、この編目状の吸水部若しくは溝状の吸水部等を設ける場合は、間仕切り板の下部の通水口は網目状若しくは溝状の通水口を設けることで、粒状の保湿材が使用出来る。
【００４６】
本明細書中に記載の栽培容器の「外部」は、凹凸のある形状や凹凸模様を設けてもよく、その形状や模様は限定されない。
【００４７】
請求項３に記載の外装パネル植物栽培容器は、請求項１乃至２に記載の外装パネル植物栽培容器においては、上記補給容器設置部に設置する補給容器は、該補給容器の底部の側壁に大気開放と補給水の流出を交互に行う内外を連通する開口部を形成し、水位確認部を設けた構成とした。
【００４８】
上記補給容器は、補水槽内の補給容器設置部に設置して使用するが、該補給容器の底部の側壁に開口部を設けたことで、補給容器に補給水を入れて補給容器設置部に設置すると、該補水槽内の水位が開口部の上部の位置に上昇すると自動的に止まり、そして補水槽内の水位が該開口部の上部の表面張力の破壊位置より以下に低下すると補給容器の内部が大気開放されると同時に補給容器内の補給水が自動的に補水槽内へ流出する。
【００４９】
そこで、開口部を設けた補給容器と開口部を設けない補給容器の違いは、開口部を設けない補給容器の補水槽内の水位低下による補給容器内の大気開放は、液体流出部の表面張力が破壊された瞬間であるため補給容器内への酸素補給は殆どおこなわれないが、当該補給容器の開口部内上部の液体流出部の補給水は開口部内に向かって半球体状の空気層が形成され、この半球体状の容積に比例して補水槽内の水位が低下し、この低下した液体容量と同等の大気が補給容器内に侵入するが、この時補給水内に酸素が溶け込む。このため、水位低下が大きければ大きいほど補給水への酸素の混入量が多くなり、新鮮な補給水を植物（動物や鳥への水やりにも利用出来る）へ与えることが出来る。
【００５０】
そして、上記補給容器は補水槽内の補給容器設置部の底部に設置するか、補給容器保持部に装着するが、補給容器の全部若しくは一部に水位確認部を設けたことで、内部が透過可能になり補給水の減少や水位の確認が出来る作用を得る。
【００５１】
また、植物への施肥については、補給容器内の補給水内に液体肥料を混合することで容易に施肥をすることが出来る。
【００５２】
そして、植物への灌水管理も楽になり、留守や多忙な人達には使用上の利便さの作用を有す。
【００５３】
さらに、上記補給容器の形状は直方体、円筒形、多角形状に限定されることはなく、要旨を変更いないものであればよい。
【００５４】
【請求項４】請求項４に記載の外装パネル植物栽培容器において、請求項１乃至３に記載の外装パネル植物栽培容器の栽培床は、保湿材（保湿剤も含む）若しくは保湿材（保湿剤も含む）と栽培床内の空気維持を目的とした空気維持材を利用した構成とした。
【００５５】
本明細書中に記載の「保湿材、保湿剤」とは、毛細管現象にて上部へ水分が上昇する保湿材を指すものであり石油や化学物質を用いて製造された保湿材や繊維製品や植物繊維や岩石を用いて保湿材にした製品（ロックウール）や軽石や水苔やピートモスやパーライトやバーミキュライトやチップ材や軽石や日向砂や富士砂や保湿剤（水分を与えると、水分を含んで容積と体積が大きくなるもの）に限定されるものではなく該毛細管現象の目的を達成されるものであればよいが、植物の根が張りやすい保湿材であることが望ましく、更に酸性や非酸性を好む植物にあっては適合した保湿材を用いると良い。
【００５６】
本明細書中に記載の「空気維持材」とは、栽培床内の空気の維持が出来る空気維持材であり、植物繊維（椰子皮素材や、麻のような植物繊維を重合し、表面、内部に空気層が形成されるもの）や繊維製品（麻や繊維を荒く編んで表面や内部に空気層が形成されるもの）や水苔やピートモス若しくはパーライトやバーミキュキュライトや軽石や日向砂や富士砂のような気泡のある素材を用いることで容易に空気層を形成することが出来、これらの空気層が形成可能な空気維持材を保湿材に混入して利用すると植物の根の酸素補給を助ける作用を有し、植物の一層の生育作用を得る。
【００５７】
このような空気層維持材と保湿材を組み合わせた栽培床を前記栽培床収容部内若しくは栽培床ケース内に設け、前記補水槽内に収容して利用するが、該栽培床の底部より該保湿材を利用した毛細管現象による植物への灌水を行うことによって軽くて薄い栽培容器で植物の栽培を行う事が出来る作用を得る。
【００５８】
そして、上記の栽培床にあっては上部の植設部付近では保湿材は上部への蒸発により底部の吸水部のように保湿状態がじゅくじゅく状態ではなく、水分の蒸発による影響により保湿材の内部には適度の空気層が形成されるが、植物の吸収力や蒸発力が多い場合は、底部の吸水部を広くする事で解消されるが、特に石油や化学物質を用いて製造された保湿材には植物を植え込んで補水槽内に設けても水分は上部に上昇しないものがあるので保湿材の選定が重要になるが、栽培容器の上部高以上に水分の上昇する保湿材を選定すればよいが、蒸発量と上昇量を考慮しなければならない。そして、植物の種類で多湿を好む植物や多湿を好まない植物によっての保湿材の選定も同様である。
【００５９】
そして、栽培床内の空気の維持を一層たかめ、更に空気層の還流を行うことで、栽培床内の栽培環境を向上させるには、栽培床収容部や栽培ケースに複数の空気還流孔を設けることで栽培環境の向上作用を得る。
【００６０】
このように、本発明の外装パネル植物栽培容器に前記保湿材若しくは保湿材と空気維持材を用いた栽培床を設けたことで、従来の植物栽培や水耕栽培における根腐れについての既成概念を覆し、水耕栽培における問題点を解決し植物栽培の生育に一層の効果的作用を有す。
【００６１】
更に、本明細書中に記載の「植設部」は、外装パネル植物栽培容器の補水槽より上部の任意の場所に設けることが出来、その形状は植物を植設される形状であればよい。
【００６２】
本明細書中に記載の「外装パネル植物栽培容器」は、請求項１では栽培床収容部と補水槽と補給容器、請求項２では栽培床ケースと補水槽と補給容器を各個に形成してそれぞれを一体的に設けた説明をしているが、該各個の部材を接着材を用いて組み立てるか若しくは各部材に組み立て部を設けて組み立て形式をとってもよい。
【００６３】
請求項５に記載の外装パネル植物栽培容器は、請求項１乃至４に記載の外装パネル植物栽培容器において、前記外装パネルの内部若しくは芳香、消臭材収容容器を設けた構成とした。
【００６４】
このような構成にしたことで、室内での植物栽培や植物鑑賞と共にアロマテラピーに利用出来、肉体や精神を健康にする作用や、消臭作用による爽快感作用を得る。利用法は、芳香、消臭材収容容器に、その目的に合った芳香材か消臭材を入れて用いるが、特にアロマテラピーの利用では、植物から抽出されたエッセンシャルオイルは加熱を目的としないので、該エッセンシャルオイルを綿花やティシュペーパーなどに付けて該芳香、消臭収容容器に収容して用いるが、また、ハーブや人工芳香材を入れて用いる。
【００６５】
本明細書中に記載の「芳香、消臭収容容器」は、上記外装パネル栽培容器と一体形成でもよく、また、個別部品で設けてもよく、形状や形態や構成はその目的を達成するものであればよい。
【００６６】
本明細書中に記載の「外装パネル植物栽培容器」は、毛細管現象による植物への灌水を目的としているが、補給容器を用いない構成で、上記栽培床上部よりの灌水で補水槽内に溜まった補給水を再利用して、植物への灌水を行う構成のものも含まれる。
【００６７】
本明細書中に記載の「外装パネル植物栽培容器」は、栽培容器内に補水槽と栽培床収容部若しくは栽培ケースと補給容器収容部を一体的に構成し、更に補水容器を設置する構成したことが大きな特徴であり、一定の形状に限定されるものでなく、この構成を用いた異なる形状を含むものである。
【００６８】
請求項６に記載の外装パネル植物栽培容器は、請求項１乃至３及び請求項５に記載の外装パネル植物栽培容器において、請求項１に記載の外装パネル植物栽培容器の補給容器設置部に設置する補給容器を設置せず、栽培床収容部と補給容器収容部と補水槽と間仕切り板を一体形成した躯体と、請求項２に記載の外装パネル植物栽培容器の栽培床ケース及び補水槽と、請求項３に記載の外装パネル植物栽培容器の補給容器と、請求項５に記載の外装パネル植物栽培容器の芳香、消臭材収容容器を請求項１及び請求項２及び請求項３及び請求項５の各項の個別部品とした構成とした。
【００６９】
このような構成としたことで、不良製品に対する危機管理に対応する目的やユーザーの装飾の失敗による個別部品への対応や、芳香、消臭材収容容器は後日の買い増し部品としての対応とすることが出来る。
【００７０】
本明細書中に記載の「立設的」とは、栽培容器が立てた状態若しくは壁面に取り付け可能状態であるが、中空にて用いる状態も含む意のことである。
【００７１】
【発明の実施の形態】
発明の実施の形態を実施例にもとづき図面を参照して説明する。
【００７２】
図１に示される実施例では、栽培容器１は、パネル状で薄型の立設的で略箱型形状で、内部に栽培床収容部３と補水槽６と補給容器収容部５を設け、該栽培床収容部３と該補給容器収容部５は間仕切り板８で仕切られ、該補給容器収容部５の側面には補水槽６の一辺を形成する側壁１６設けている。
【００７３】
図２に示される実施例では、上記栽培容器１の内部であるが、栽培床収容部３の上部に植設部１１、下部に吸水部１２を設け、該栽培床収容部３と補給容器収容部５は間仕切り板８で仕切られ、更に、該補給容器収容部５の側面には補水槽６の一辺を形成する側壁１６を設け、該補水槽６内には補給容器設置部７を設け、該補給容器設置部７には補給容器４を設置している。
【００７４】
図３に示される実施例では、上記栽培容器１の栽培床収容部３内に栽培床２を設け、該栽培床２内に植物２０を植設し、該栽培容器１の下部に転倒防止用の立設部２４を設けている。
【００７５】
図４に示される実施例では、上記栽培容器１の上部の植設部１１に植物２０を植え込み、正面に模様１４と収容部１７を設け、該収容部１７に写真２１を収容している。
【００７６】
図５に示される実施例では、壁面に取り付ける栽培容器１に、壁面に吊着する吊着紐２３を設け、植設部１１に植物を植設し、正面には模様１３を設けている。
【００７７】
図６に示される実施例では、前記壁面に取り付ける栽培容器１の内部であるが、該栽培容器１の両端には補給容器収容部５を設け、該補給容器収容部５の側面には補水槽６を形成する側壁１６を設け、該補給容器収容部５と栽培床収容部３は間仕切り板８で仕切られ、該間仕切り板８の下部には通水部１０を設け、さらに、該栽培容器１の底部に補水槽６を形成し、該補給容器収容部５には補給容器４を設置し、該補給容器収容部５の上部に吊着紐２３を取り付ける吊着部２２を設けている。
【００７８】
図７に示される実施例では、補給容器収容部７に設ける装着部１３であるが、該装着部８の側壁に補水槽６内への補給水９の補給を行う切り欠き部２４を設けている。
【００７９】
図８に示される実施例では、補給容器設置部７に設ける装着部１３であるが、該装着部１３の側部に補水槽６内への補給水の補給を行う開口部２５を設け、補給容器４を保持するネジ部４１を設けている。
【００８０】
図９に示される実施例では、栽培容器１’の栽培ケース１８であるが、該栽培床ケース１８の一方に栽培床２を収容する栽培床収容部３’を設け、他方には補給容器４を収容する補給容器収容部５’を設け、更に、該栽培床収容部３’と該補給容器収容部５’は間仕切り板８’で仕切られ、該間仕切り板８’の下部には通水口１０’を設け、該栽培床収容部３’の上部には植設部１１’と下部には吸水部１２’が設けられている。
【００８１】
図１０に示される実施例では、栽培容器１’の内部であるが、該栽培容器１’は栽培床ケース１８と、補水槽１９から構成され、該栽培床ケース１８の一方には栽培床収容部３’を設け、他方には補給容器収容部５’を設け、更に、該栽培床収容部３’と該補給容器収容部５’は間仕切り板８’で仕切られ、該間仕切り板５’の下部には前記補水槽１９内の補給容器設置部７’より栽培床収容部３’の下部への補給水（９）の通水口１０’を設け、該栽培床収容部３’の上部には植設部１１’と下部には吸水部１２’を設けた該栽培床ケース１８を前記補水槽１９に設置し、また更に、該補水槽１９内の該補給容器設置部７’に補給容器４を設置している。
【００８２】
図１１に示される実施例では、図１０に示される栽培容器１’の外部であるが、該栽培容器１’の栽培床ケース１８の正面にはメッセージや写真や装飾部材を収容する収容部１７を設けている。
【００８３】
図１２に示される実施例では、図１１に示される栽培容器１’の内部であるが、栽培床ケース１８の栽培床収容部３’の下部に網目状吸水部３８を形成し、間仕切り板８’の下部に網目状通水口４５を設けている。
【００８４】
図１３に示される実施例では、上記実施例に示す補水槽１９である。
【００８５】
図１４に示される実施例では、吸水部の形状の一例を示すが、栽培床に用いる保湿材や空気維持材が、補水槽内へ落下する恐れがある保湿材や空気維持材を用いる場合に選定する、補水槽内への落下防止を目的とした編目状を形成した網目状吸水部３８である。
【００８６】
図１５に示される実施例では、吸水部の形状の他の一例を示すが、栽培床に用いる保湿材や空気維持材が、補水槽内へ落下する恐れがある保湿材や空気維持材を用いる場合に選定する、補水槽内への落下防止を目的とした溝状を形成した溝状吸水部３９である。これらの落下防止を目的をした吸水部（３８．３９）を設
ける場合は、間仕切り板（８．８’）の下部の通水口には上記の
【図１２】に示す網目状通水口４５を設けることによって補給容器設置部（７．７’）への落下物の移動を防止することができる。
【００８７】
図１６に示される実施例では、上記栽培容器１’を利用して壁面緑化を行う場合の構成であるが、上記補水槽１９を長くした横長補水槽４６内に、断熱材と栽培床を収容した栽培床ケース１８を設置し、その横列に補給容器収容部３’を設けない断熱材と栽培床を収容した栽培床収容ケース４２を列設し、前記横長補水槽４６内の補給容器設置部に給水用の自動給水弁２７（浮き玉と給水器具で構成された給水機材）を設けた密閉蓋付補給容器３２を設け、該自動給水弁２７に給水管２８を接続している。更に、該横長補水槽４６の上部には雨水や自動給水弁２７が故障して該横長補水槽３２よりの溢水を排水管に排出するオーバーフロー管４７を設けている。
【００８８】
図１７に示される実施例では、図１６の密閉蓋付補給容器３２内の自動給水弁２７に給水管２８を接続した部分拡大図である。
【００８９】
図１８に示される実施例では、補給容器内の補給水９への酸素補給と補水槽内への自動補水を目的とした補給容器であるが、補給容器３３の底部の側壁に大気開放と補給水の流出を交互に行う内外を連通する開口部３４を形成し、更に、補給容器内の水位確認を目的とした内部の補給水を透過出来る透明材を用いた水位確認部３５を設けている。
【００９０】
図１９に示される実施例では、栽培床ケース１８内の栽培床収容部３’に収容した栽培床２であるが、該栽培床２内には保湿材３６と空気維持材３７を設けているが、該保湿材３６は植接部１１に補給水を上部に毛細管現象で上昇させるものを選定しなければならないが、特に最適なものはロックウールや水苔やピートモスやバーミキュライトや日向砂等であり、空気維持材３７は適度な水分の保湿を兼ねた素材間やそのものに空気維持効果のあるものが良いが、特に最適なものは水苔や軽石等であるが、単独で使用する場合は日向砂やバーミキュライトである。そこで、前述した図１４．１５の説明で述べた吸水部（３８．３９）で網目状吸水部３８を設け、間仕切り板８’の下部には編目状通水口４５を設けている。
【００９１】
図２０に示される実施例では、栽培容器１の栽培床収容部３の上部に芳香材若しくは消臭材を収容する芳香、消臭材収容容器４０を設けているが、該芳香、消臭材収容容器４０は、芳香材や消臭材を液体を用いて使用する場合はティッシュペーパー等にかけて用い、粒状はその儘入れて用いる。
【００９２】
図２１に示される実施例では、芳香、消臭材収容容器４０の個別部品の形状を示す一例である。
【００９３】
図２２、図２３に示される実施例では、栽培容器１’の背面と左側面に栽培床内の空気の維持と還流を向上させる空気還流孔４３を設けている。
【００９４】
図２４に示される実施例では、栽培容器１の形状は、他の例の異なる形状４４を形成している。
【００９５】
図２５に示される実施例では、図２４に示される栽培容器１の左側面には補給容器３３を設けている。
【００９６】
【発明の効果】
本発明は、以上説明したように構成されているので、以下に記載されているような効果を奏する。
【００９７】
本栽培容器は、栽培容器内に補給容器や補水槽若しくは栽培容器に補給容器を内蔵したことでコンパクトで軽量で見栄えのよい栽培容器を提供出来る効果を奏す。
【００９８】
更に、栽培床に軽くて保水効果の高い保湿材若しくは該保湿材と酸素を維持する空気層維持材を組み合わせて栽培床収容部に設けたことによって、軽くて薄いパネル状で薄型の立設的で略箱型形状の栽培容器で植物の栽培を実現させることが可能となり、従来の植物栽培容器では成し得ない多様な形状の植物栽培容器を創作することが出来、場所も取らない置物や壁面や柱や天井や梁に負担をかけず装飾用植物栽培容器として利用出来、装飾効果を演出する事が出来る。
【００９９】
また、本栽培容器の外部がパネル（画板）の代用が出来ることで、多様な模様や絵の装飾や、装飾部材（鏡や時計やカレンダーも含む）を用いた装飾や、シールや文字や凹凸形状で装飾することが出来、更に、収納部を設けることによって、該収納部にメッセージや写真や絵や装飾部材等を内装して装飾物としても用いる効果を奏する。
【０１００】
そして、通常の植物栽培に用いる用土（赤玉土に鹿沼土や桐生砂や腐葉土等を混合）を用いない事で、数種類の用土を混入する用土作りの手間が不必要となり、更に、補給容器を用いた自動灌水が行われることで手間や時間の節約などの効果を奏し、また、植物への灌水管理では、水やりは１０年の経験を要すと言われるが、経験は必要とせず灌水管理が楽になり、留守や多忙な人達には使用上の利便効果を奏する。
【０１０１】
また、補給容器を本栽培容器の内部に収容出来ることでコンパクトで見栄えも良くなる効果を奏す。
【０１０２】
更に、本栽培容器や栽培床が軽量なため棚やテーブルは元より壁面や柱や中空や天井や梁に負担をかけず容易に設置及び吊着することが出来、室内やビルの壁面や店舗の装飾や多様な場所での利用と装飾効果を奏す。
【０１０３】
そして、植物栽培以外に装飾物としての効果を奏することによって、園芸用品としての販売にとらわれることはなく、雑貨販売店や装飾物販売店や贈答品店や作り方教室等の幅広い業種に利用出来ることで産業の育成に寄与し、更に、植物栽培と共に栽培容器の装飾を個人の想像で創作出来ることで高齢者の心や手先のリハビリにも利用出来る効果を奏す。
【０１０４】
また、本栽培容器に設ける補給容器は、該補給容器の底部の側壁に開口部を設け、更に、該補給容器内の補給水を透過出来る水位確認部を設けたことで、補給水内への酸素補給と植物への新鮮な灌水が自動的に行われ、補給容器装着部を設けなくてよく、また、補給水の水位確認が容易に行われる効果を奏する栽培容器を提供出来る効果を奏す。
【０１０５】
更に、本発明の一例として示したビルの壁面緑化としては、補水槽を長くした補水槽内に、断熱材を内部に設けた栽培床ケースに栽培床を収納し、この栽培ケースを設置し、その横列に、補給容器収容部を削除した断熱材を内部に設けた栽培床ケースに栽培床を収納し、この栽培ケースを設置するが、前記補水槽内の補給容器設置部に給水用の自動給水弁を設けた密閉蓋付補給容器を設け、該自動給水弁に給水管を接続したことによって、簡単に前記壁面緑化を実施することが出来、ビルの壁面の装飾と温暖化防止に寄与する。
【０１０６】
そして、栽培床に保湿材を用い、更に栽培床内の空気の維持を目的とした空気維持材を用いたことで、軽くて灌水が便利で植物の根に対する環境を良くする効果を奏すと共に、従来の水耕栽培においての根腐れをするという既成概念を覆し、水耕栽培における問題点を解決することが出来る。
【０１０７】
更に、本栽培容器の栽培収納部や栽培床ケースの上部に芳香材若しくは消臭材を収容する芳香、消臭材収容部を設け、この芳香、消臭材収容部に前記芳香材若しくは消臭材を収容して室内で使用することで、植物栽培や装飾効果と共に芳香材を使用すると、アロマテラピー効果による肉体や精神を健康にする効果を奏し、消臭材を用いることによって消臭による爽快感効果を奏す。
【０１０８】
更に、本栽培容器に装飾若しくは装飾部若しくは芳香、消臭材収容部　を設けることが出来るので、誕生プレゼントや様々な記念日プレゼントやブライダルの贈答や種々の贈答に用いる効果を奏することで多様な職種での販売機会を得る効果を奏す。
【０１０９】
そして、補水容器からの毛細管現象による灌水では、植物への灌水量は少量であるが、自然蒸発量は従来の毛細管現象を利用した植物栽培容器の表面積と比較すると、本発明の外装パネル植物栽培床は圧倒的に狭いため水分の使用量の節約効果を奏する。
【０１１０】
上述したように多様な作用と効果を設けた本栽培容器を製造することで、新規産業の育成効果を奏す。
【図面の簡単な説明】
【図　１】外装パネル植物栽培容器の実施例の一例を示す斜視図である。
【図　２】図１の外装パネル植物栽培容器の実施例を示す縦断面図である。
【図　３】外装パネル植物栽培容器の栽培床に植物を植設している実施例の一例を示す縦断面図である。
【図　４】外装パネル植物栽培容器に植物を植設し、正面に模様を設け、収容部に写真を収容した実施例の一例を示す正面図である。
【図　５】植物を植設し、正面に模様を設けた壁面取付用の外装パネル植物栽培容器の実施例の一例を示す正面図である。
【図　６】図５の外装パネル植物栽培容器の縦断面図である。
【図　７】装着部の実施例の一例を示す要部拡大の縦断面図である。
【図　８】装着部の実施例の一例を示す要部拡大の縦断面図である。
【図　９】栽培床ケースの実施例の一例を示す縦断面図である。
【図１０】外装パネル植物栽培容器の実施例の一例を示す縦断面図である。
【図１１】外装パネル植物栽培容器に収容部を設けた実施例の一例を示す正面図である。
【図１２】網目状吸水部と網目状通水口を設けた、外装パネル植物栽培容器の実施例の一例を示す縦断面図である。
【図１３】外装パネル植物栽培容器の補水槽の実施例の一例を示す斜視図である。
【図１４】網目状吸水部の形状の一例を示す平面図である。
【図１５】溝状吸水部の形状の一例を示す平面図である。
【図１６】外装パネル植物栽培容器を用いた、壁面緑化の実施例の一例を示す正面図である。
【図１７】図１６に示す外装パネル植物栽培容器を用いた、壁面緑化の密閉蓋付補給容器に自動吸水弁を設けた部分拡大図である。
【図１８】補給容器の実施例の一例を示す斜視図である。
【図１９】網目状吸水部と網目状通水口を設けた、栽培床ケースの実施例の一例を示す縦断面図である。
【図２０】外装パネル植物栽培容器の栽培床収容部に芳香、消臭材収容容器を設けた実施例の一例を示す斜視図である。
【図２１】芳香、消臭材収容容器の一例を示す側面図である。
【図２２】外装パネル植物栽培容器の背面に空気還流孔を設けた実施例の一例を示す背面図である。
【図２３】外装パネル植物栽培容器の側面に空気還流孔を設けた実施例の一例を示す左側面図である。
【図２４】外装パネル植物栽培容器の異なる形状の実施例の一例を示す正面図である。
【図２５】図２５に示す外装パネル植物栽培容器の異なる形状の実施例の左側面図である。
【０１０３】
【符号の説明】
１　．栽培容器　　　　１’．栽培容器　　　　　２　．栽培床
３　．栽培床収容部　　３’．栽培床収容部　　　４　．補給容器
５　．補給容器収容部　５’．補給容器収容部　　６　．補水槽
７　．補給容器設置部　７’．補給容器設置部　　８　．間仕切り板
８’．間仕切り板　　　９　．補給水　　　　　１０　．通水口
１０’．通水口　　　　１１　．植設部　　　　　１２　．吸水部
１２’．吸水部　　　　１３　．装着部　　　　　１３’．装着部
１４　．模様　　　　　１５　．補給口　　　　　１６　．側壁
１７　．収容部　　　　１８　．栽培床ケース　　１８’．栽培床ケース
１９　．補水槽　　　　２０　．植物　　　　　　２１　．写真
２２　．吊着部　　　　２３　．吊着紐　　　　　２４　．立設部
２５　．切り欠き部　　２６　．開口部　　　　　２７　．自動給水弁
２８　．給水管　　　　２９　．バルブ　　　　　３０　．減圧逆止弁
３１　．給水タンク　　３２　．密閉蓋付補給容器
３３　．補給容器　　　３４　．開口部　　　　　３５　．水位確認部
３６　．保湿材　　　　３７　．空気維持材　　　３８　．網目状吸水部
３９　．溝状吸水部　　４０　．芳香、消臭材収容容器
４１　．網目状通水口　４２　．栽培床ケース　　４３　．空気還流孔
４４　．異なる形状　　４５　．網目状通水口　　４６　．横長補水槽
４７　．オーバーフロー管
【図１】
2004057173.tif 000002
【図２】
2004057173.tif 000003
【図３】
2004057173.tif 000004
【図４】
2004057173.tif 000005
【図５】
2004057173.tif 000006
【図６】
2004057173.tif 000007
【図７】
2004057173.tif 000008
【図８】
2004057173.tif 000009
【図９】
2004057173.tif 000010
【図１０】
2004057173.tif 000011
【図１１】
2004057173.tif 000012
【図１２】
2004057173.tif 000013
【図１３】
2004057173.tif 000014
【図１４】
2004057173.tif 000015
【図１５】
2004057173.tif 000016
【図１６】
2004057173.tif 000017
【図１７】
2004057173.tif 000018
【図１８】
2004057173.tif 000019
【図１９】
2004057173.tif 000020
【図２０】
2004057173.tif 000021
【図２１】
2004057173.tif 000022
【図２２】
2004057173.tif 000023
【図２３】
2004057173.tif 000024
【図２４】
2004057173.tif 000025
【図２５】
2004057173.tif 000026